(57)【要約】【課題】  電子スチルカメラ単体で、撮像した映像を再生できると共に、静止画映像信号をプリンタに伝送できるようにする。【解決手段】  本発明の映像システムは、映像信号を出力する撮像手段と、映像信号を所定の伝送規格の信号形態に変換して伝送路に出力し、かつ所定の伝送規格の映像信号を受信する伝送手段と、記録メディアを装着可能な差し込み口と、差し込み口に装着された記録メディアに撮像手段から出力される映像信号又は伝送手段で受信される上記映像信号を記憶する記憶手段と、差し込み口に装着された記録メディアに記憶された映像信号又は伝送手段で受信される映像信号を再生する再生手段と、撮像手段から出力される映像信号又は再生手段により再生される映像信号を筺体外面部に表示する表示手段とを本体に内蔵した電子スチルカメラと、伝送路に所定の伝送規格の映像信号を送信するパーソナルコンピュータと、伝送路から所定の伝送規格の映像信号を受け取るプリンタとから成る。【選択図】          図２
2004266861.tif 000002
【特許請求の範囲】
【請求項１】
映像信号を出力する撮像手段と、
映像信号を所定の伝送規格の信号形態に変換して伝送路に出力し、かつ上記所定の伝送規格の映像信号を受信する伝送手段と、
記録メディアを装着可能な差し込み口と、
上記差し込み口に装着された記録メディアに上記撮像手段から出力される上記映像信号または上記伝送手段で受信される上記映像信号を記憶する記憶手段と、
上記差し込み口に装着された記録メディアに記憶された映像信号または上記伝送手段で受信される上記映像信号を再生する再生手段と、
上記撮像手段から出力される上記映像信号または上記再生手段により再生される上記映像信号を筺体外面部に表示する表示手段と
を本体に内蔵した電子スチルカメラと、
上記伝送路に上記所定の伝送規格の映像信号を送信するパーソナルコンピュータと、
上記伝送路から上記所定の伝送規格の映像信号を受け取るプリンタと
から成ることを特徴とする映像システム。
【発明の詳細な説明】
【技術分野】
【０００１】
本発明は、撮像した映像信号の記憶及び映像信号の表示ができると共に、映像データを伝送できる電子スチルカメラと、プリンタから成る映像システムに関するものである。
【背景技術】
【０００２】
電子スチルカメラは、スチル映像を磁気ディスク等の記録メディアに記録するため、現像などの化学的処理を必要とせず、そのまま瞬時に記録映像のモニタ再生が可能である。このために、速報性が生命の報道写真等の業務用には特に適したカメラである。
また、電子スチルカメラは、静止画記録のためビデオカメラに比べ高い解像度が必要とされるため、一般に３０万画素から４０万画素の高密度のＣＣＤ撮像素子が用いられている。
【０００３】
従来の電子スチルカメラを図３に示す。
図３（ａ）は斜め前から見た斜視図であり、同図（ｂ）は斜め後ろから見た斜視図である。この図において、２０は電子スチルカメラ本体、２１は光学式ファインダー、２２は撮像素子上に映像を結像させるためのレンズ、２３はスチル映像を取り込むシャッター、２４は撮像情報等が表示される表示部、２５は磁気ディスク差し込み口である。
【０００４】
図３に示す電子スチルカメラ２０はファインダー２１を見ながらシャッターを押すと、レンズ２２を通してＣＣＤ等の撮像素子に投影された映像信号が、シャッター２３が押されたタイミングで取り込まれ、取り込まれた映像信号に、記録するための信号処理が施されて、磁気ディスク差し込み口に差し込まれた磁気ディスクに撮像された映像信号が記録される。
【０００５】
撮影時の撮像情報や撮像したコマ数等は表示部２４に表示されている。
この電子スチルカメラで撮像された映像をモニタで再生するには、磁気ディスクから映像信号を再生し表示する装置が必要であり、このモニタ再生システムの概要を図４に示す。
【０００６】
図４において、２０は電子スチルカメラ、３０は電子スチルカメラ２０で撮像された映像が記録される磁気ディスク、４０は磁気ディスク３０に記録された映像を再生する再生装置、５０は再生装置４０で再生された映像を表示する表示装置、６０は再生された映像を電話回線で伝送するための電話機である。
【０００７】
図４に示すシステムにおいて、電子スチルカメラ２０で撮像された映像をモニタに表示するには、電子スチルカメラ２０から磁気ディスク３０を取り出し再生装置４０にセットする。そして、再生装置４０を動作させて磁気ディスク３０から記録された映像を再生して表示装置５０に映像を表示すればよい。
また、撮像された映像を報道等に使用するために遠隔地から送る必要がある場合には、再生された映像信号を例えば、電話回線で送れる信号に変換して電話機６０を介して、交換機に向けて送り出せばよい。
【発明の開示】
【発明が解決しようとする課題】
【０００８】
しかしながら、図４に示す再生システムでは再生装置４０や表示装置５０がそれぞれ分離しているため、装置間の接続が複雑であると共に、それらの操作が繁雑となり、電子スチルカメラの有する即時性のメリットを生かすことが困難であるという問題点があった。
【課題を解決するための手段】
【０００９】
そこで本発明の映像システムは、映像信号を出力する撮像手段と、映像信号を所定の伝送規格の信号形態に変換して伝送路に出力し、かつ上記所定の伝送規格の映像信号を受信する伝送手段と、記録メディアを装着可能な差し込み口と、上記差し込み口に装着された記録メディアに上記撮像手段から出力される上記映像信号または上記伝送手段で受信される上記映像信号を記憶する記憶手段と、上記差し込み口に装着された記録メディアに記憶された映像信号または上記伝送手段で受信される上記映像信号を再生する再生手段と、上記撮像手段から出力される上記映像信号または上記再生手段により再生される上記映像信号を筺体外面部に表示する表示手段とを本体に内蔵した電子スチルカメラと、上記伝送路に上記所定の伝送規格の映像信号を送信するパーソナルコンピュータと、上記伝送路から上記所定の伝送規格の映像信号を受け取るプリンタとから成る。
【００１０】
即ち電子スチルカメラ側では、その本体に再生機能を内蔵させると共に、再生された再生映像を表示するモニタ用の表示機能を備え、さらに、本体に伝送機能を有するようにすることで、電子スチルカメラで撮像した静止画映像をその場で多数の人によりモニタすることができると共に、電話等の回線を使用して電子スチルカメラから映像信号を伝送することができる。
一方プリンタ側では、電子スチルカメラから伝送されてきた静止画映像を受け取って印刷処理できる。
【発明の効果】
【００１１】
本発明は以上のように構成したので、電子スチルカメラで撮像した静止画映像をその場で多数の人によりモニタすることができると共に、伝送路を介してプリンタに送信し、プリンタ側で印刷処理することができる。これにより電子スチルカメラの即時性のメリットを生かすことができる。
【発明を実施するための最良の形態】
【００１２】
本発明の実施の形態の映像システムにおける電子スチルカメラを図１に示す。
図１において、１は電子カメラ本体、２は再生映像の表示及びビューファインダーの役割をするモニタ、３は映像信号を伝送する双方向伝送ユニット、４は伝送ユニットを取り外すイジェクトボタン、５は伝送ユニット３を操作する操作盤、６は再生機能を操作する操作ボタン、７はシャッター、８はメモリカード等の記録メディアを差し込む差し込み口である。
【００１３】
図１に示す電子スチルカメラ１で撮像するには、撮影者はモニタ２の画面を見ながら構図を決め、シャッター７を押す。この時、モニタ２の画面には図示していない撮像素子であるＣＣＤに投影された映像が写し出されている。
モニタ２は起伏自在に本体１に固着されており、任意の角度に設定することができる。また、モニタ２は、例えば液晶（ＬＣＤ）の表示器で構成することができる。
【００１４】
撮像された映像は記録メディア差し込み口８に挿入された記録メディアに記録される。
撮像後、撮像された映像を見たいときは、本体上面に設けられた操作スイッチ６を操作することにより、記録メディアに記録された映像を再生しモニタに写し出すことができる。操作スイッチ６としては、１コマ再生、コマ送りコマ戻し、連続再生等の操作ボタンから構成されている。
【００１５】
また、撮像された映像を伝送したい時は、伝送ユニット３を本体１の横に設けた装着部に挿入し、映像信号を伝送ユニット３を介して図示しない伝送ラインに送り出せばよい。この時の、伝送ユニット３の操作は本体１後部に設けられた伝送ユニット操作盤５の操作ボタンを操作して行う。
伝送ユニット３としては、いろいろな伝送規格のユニットが用意されており、使用する伝送規格に応じて差し替えればよい。このため、伝送ユニット３はイジェクトボタン４を押して取り出すことができるようになっている。
【００１６】
さらに、図示しない伝送ラインから映像信号が伝送されてきた時は、伝送ユニット３で受信し本体１内部で再生してモニタ２に写し出すことができる。また、伝送されてきた映像信号を記録メディアに記録することもできるようにされている。
【００１７】
図２に図１に示す電子スチルカメラのブロック図を示す。
図２において、図１と同符号の部分は同一の部分である。この図で、２は再生映像の表示及びビューファインダーの役割をするモニタ、３は映像信号を伝送する伝送ユニット、１０はＣＣＤで構成された撮像素子、１１は撮像素子１０で受光した映像信号を処理する信号処理回路、１２は映像信号を圧縮して記録し、読み出し時に伸張する圧縮伸張回路、１３は記録メディア１４に記録したり記録メディア１４から読み出したりする記録読み出し回路、１５は伝送ユニット３で送信する映像信号や受信した映像信号を選択して供給するためのスイッチ、１６は映像信号を再生する再生回路である。
【００１８】
図２において、ＣＣＤ１０に投影された映像信号は信号処理回路１１に印加されて、γ（ガンマ）補正や輝度信号と色度信号の分離等の信号処理が行われる。信号処理回路１１の出力は圧縮伸張回路１２に印加されてデジタル信号に変換された後、例えば１／１０のデータ量に圧縮される。
圧縮された映像データは、シャッターの押されたタイミングで記録読み出し回路１３により、記録メディア１４に記録される。
【００１９】
また、信号処理回路１１の出力信号は再生回路１６にも印加されており、再生回路１６で映像信号が再生されモニタ２からＣＣＤ１０に投影された映像が写し出される。
撮像した映像を見たい時には、記録メディア１４に記録された映像データを記録読み出し回路１３により読み出して圧縮伸張回路１２に印加する。読み出された映像データは圧縮伸張回路１２で伸張されると共にアナログ信号に変換され、さらに再生回路１６で再生されてモニタ２に映像信号が印加されることにより、再生映像がモニタ２に写し出される。
【００２０】
撮像した映像を報道写真等に使用するために伝送する時は、スイッチ１５をｂ接点側に切り替えて記録メディア１４から伝送する映像データを記録読み出し回路で読み出し、さらに圧縮伸張回路で伸張した後、スイッチ１５を介して伝送ユニット３に映像信号を印加し伝送ユニット３により伝送規格にあった信号形態にフォーミングして伝送路へ送り出す。
【００２１】
また、ＣＣＤ１０に投影された映像を信号処理回路１１から取り出し、スイッチ１５を介して映像信号を伝送ユニット３に印加して伝送路３に送りだしてもよい。
次に、伝送路から映像データが送られてくる時に、スイッチ１５をａ接点側に切り替えると、伝送ユニット３で受信された映像信号はスイッチ１５を介して記録読み出し回路１３に印加されて、この記録読み出し回路１３により記録メディア１４に記録することができる。また、スイッチ１５をｂ接点側に切り替えると、伝送ユニット３で受信された映像信号はスイッチ１５を介して再生回路１６に印加されて、再生された映像信号がモニタ２に写し出される。
【００２２】
なお、伝送ユニット３としてモデムを使用すれば電話回線やＩＳＤＮ等のデジタル回線に接続することができる。また、伝送ユニット３としてＳＣＳＩ（Ｓｍａｌｌ  Ｃｏｍｐｕｔｅｒ  Ｓｙｓｔｅｍ  Ｉｎｔｅｒｆａｃｅ）の伝送規格のユニットを使用すればパーソナルコンピュータ、ハードディスクやプリンタ等に伝送することができる。さらに、伝送ユニット３としてイーサネット（登録商標）の伝送規格のユニットを使用すればローカル・エリア・ネットワーク（ＬＡＮ）を用いて映像信号を伝送することができる。
【００２３】
そして、映像信号を２値化しディザー法を施して伝送すれば中間調の映像信号を伝送することができる。しかも、この映像信号はＦＡＸを用いて受信することができるため、専用の受信装置を用意することなく映像信号を受信することができるようになる。
なお、上記の説明ではデジタルデータに変換して記録メディアに記録したが、デジタルデータに変換することなくアナログ信号を記録メディアに記録してもよい。
【図面の簡単な説明】
【００２４】
【図１】本発明の実施の形態の電子スチルカメラの斜視図である。
【図２】本発明の実施の形態の電子スチルカメラのブロック図である。
【図３】従来の電子スチルカメラの斜視図である。
【図４】従来のスチル映像を再生する再生システムを示す図である。
【符号の説明】
【００２５】
１、２０  電子スチルカメラの本体、２  モニタ、３  伝送ユニット、４  イジェクトボタン、５  伝送ユニット操作盤、６  操作スイッチ、７、２３  シャッター、８  記録メディア差し込み口、２１  ファインダー、２２  レンズ、２４  表示部、２５  磁気ディスク差し込み口、３０  磁気ディスク、４０  再生装置、５０  表示装置、６０  電話機
【図１】
2004266861.tif 000003
【図２】
2004266861.tif 000004
【図３】
2004266861.tif 000005
【図４】
2004266861.tif 000006